(57)【要約】  【課題】  移動体通信装置と協働することで高機能となる低廉な腕時計を提供する。  【解決手段】  移動体通信装置と協働する腕時計において、制御部２１は、移動体通信装置から送信される信号を受信する無線部２３の出力に基づいて、移動体通信装置に着信があったことを報知手段（表示部２６、ブザー２８、バイブレータ２９）に報知させ、現時点の日付に関する情報を記憶部２５に記憶させて表示部２６に現時点の日付を表示させ、時計部３０の時刻を修正し、アラーム設定時間に記憶部２５に記憶させ、アラーム設定時間に達すると報知手段（表示部２６、ブザー２８、バイブレータ２９）に報知させる。【選択図】      図２
2005351797.tif 000002
【特許請求の範囲】
【請求項１】
時刻を計時する時計手段と、移動体通信装置から送信される信号を受信する受信手段と、前記受信手段の出力に基づいて移動体通信装置に着信があったことを報知する報知手段と、前記受信手段の出力に基づいて現時点の日付に関する情報を取得する取得手段と、前記時刻及び前記現時点の日付を表示する表示手段とを備えることを特徴とする腕時計。
【請求項２】
前記取得手段が、前記現時点の日付に関する情報の他に前記受信手段の出力に基づいて現時点の月に属する最終日を取得する請求項１に記載の腕時計。
【請求項３】
時刻を計時する時計手段と、移動体通信装置から送信される信号を受信する受信手段と、前記受信手段の出力に基づいて移動体通信装置に着信があったことを報知する報知手段と、前記受信手段の出力に基づいて前記時計手段の時刻を修正する時計制御手段と、前記時刻を表示する表示手段とを備えることを特徴とする腕時計。
【請求項４】
前記受信手段が前記移動体通信装置から送信される信号を受信していない期間が所定の期間を越えると前記移動体通信装置に対して送信要求を行う送信手段を備える請求項３に記載の腕時計。
【請求項５】
前記所定の期間に関する情報を前記受信手段の出力に基づいて取得する取得手段を備える請求項４に記載の腕時計。
【請求項６】
時刻を計時する時計手段と、移動体通信装置から送信される信号を受信する受信手段と、前記受信手段の出力に基づいて移動体通信装置に着信があったことを報知する報知手段と、前記受信手段の出力に基づいてアラーム設定時間に関する情報を取得する取得手段と、アラーム設定時間に達すると警告を行うアラーム手段と、前記時刻を表示する表示手段とを備えることを特徴とする腕時計。
【請求項７】
前記取得手段が、前記受信手段の出力に基づいてアラーム継続時間に関する情報を取得し、前記アラーム手段が、警告を開始してからアラーム継続時間が経過すると警告を終了する請求項６に記載の腕時計。
【請求項８】
請求項１に記載の腕時計と協働する移動体通信装置であって、時刻を計時する時計部と、暦を記憶する記憶部と、前記計時部が計時する時刻と前記記憶部が記憶する暦を用いて現時点の日付を特定する日付特定部と、着信に関する情報及び前記現時点の日付に関する情報を前記腕時計に送信する送信部とを備えることを特徴とする移動体通信装置。
【請求項９】
請求項３に記載の腕時計と協働する移動体通信装置であって、請求項３に記載の腕時計が具備する時計手段よりも精度の高い高精度計時部と、着信に関する情報及び前記高精度計時部が計時する時刻に関する情報を前記腕時計に送信する送信部とを備えることを特徴とする移動体通信装置移動体通信装置。
【請求項１０】
請求項６に記載の腕時計と協働する移動体通信装置であって、アラーム設定時間を入力する操作部と、着信に関する情報及び前記アラーム設定時間に関する情報を前記腕時計に送信する送信部とを備えることを特徴とする移動体通信装置。
【発明の詳細な説明】
【技術分野】
【０００１】
本発明は、携帯電話機（ＰＨＳを含む）、ＰＤＡ等の移動体通信装置と協働する腕時計に関する。
【背景技術】
【０００２】
着信（着呼または電子メール受信）した際に腕時計に対して着信通知を行う携帯電話機からの着信通知を受け取り、その着信通知に基づいて着信があることをブザーやバイブレーションにより使用者に報知し、着信内容（着信番号、受信メール文等）を表示部に表示する腕時計が従来より提案されている（例えば、特許文献１、特許文献２参照）。
【０００３】
使用者は、携帯電話機と協働する上記腕時計を身に付けておくことで、携帯電話機が鞄の中に収納されている場合等においても携帯電話の着信を確実に知ることができる。
【特許文献１】特開平１１−２３４７５０号公報
【特許文献２】特開２００２−１５２３２７号公報
【発明の開示】
【発明が解決しようとする課題】
【０００４】
時刻表示機能以外の付加機能（日付表示機能、アラーム機能等）を有する腕時計においては、上記付加機能を実現する手段を具備する必要があり、コストがかかるという問題があった。また、腕時計において、時刻表示機能の時間誤差を少なくするには、高精度の計時手段を具備する必要があり、コストがかかるという問題があった。
【０００５】
このような問題は、携帯電話機と協働する上記腕時計においても当てはまるものであった。本発明は、上記の問題点に鑑み、移動体通信装置と協働することで高機能となる低廉な腕時計および当該腕時計と協働する移動体通信装置を提供することを目的とする。
【課題を解決するための手段】
【０００６】
上記目的を達成するために本発明に係る腕時計は、時刻を計時する時計手段と、移動体通信装置から送信される信号を受信する受信手段と、前記受信手段の出力に基づいて移動体通信装置に着信があったことを報知する報知手段と、前記受信手段の出力に基づいて現時点の日付に関する情報を取得する取得手段と、前記時刻及び前記現時点の日付を表示する表示手段とを備えている。
【０００７】
このような構成によると、上記腕時計を身に付けておくことで、携帯電話機が鞄の中に収納されている場合等においても携帯電話の着信を確実に知ることができるとともに、上記腕時計が現時点の日付を表示することができる。そして、上記腕時計は、暦を記憶するための記憶部を具備しなくてよいので、低コスト化を図ることができる。さらに、上記腕時計が前記計時手段の時刻が２３時５９分から０時に移行する度に自動的に現時点の日付を更新するようにした場合に月替わりにおける当該更新を正確に行う観点から、前記取得手段が、前記現時点の日付に関する情報の他に前記受信手段の出力に基づいて現時点の月に属する最終日を取得することが望ましい。
【０００８】
また、上記目的を達成するために本発明に係る腕時計は、時刻を計時する時計手段と、移動体通信装置から送信される信号を受信する受信手段と、前記受信手段の出力に基づいて移動体通信装置に着信があったことを報知する報知手段と、前記受信手段の出力に基づいて前記時計手段の時刻を修正する時計制御手段と、前記時刻を表示する表示手段とを備える。
【０００９】
このような構成によると、上記腕時計を身に付けておくことで、携帯電話機が鞄の中に収納されている場合等においても携帯電話の着信を確実に知ることができるとともに、前記時計手段が計時する時刻の誤差を小さくすることができる。そして、上記腕時計は、高精度の時計手段を具備しなくてよいので、低コスト化を図ることができる。そして、何らかの理由で前記受信手段が移動体通信装置から送信される信号を長時間受信していない場合に前記時計手段が計時する時刻の誤差の拡大を少なくする観点から、前記受信手段が前記移動体通信装置から送信される信号を受信していない期間が所定の期間を越えると前記移動体通信装置に対して送信要求を行う送信手段を備えることが望ましい。さらに、前記所定の期間を設定入力するときの操作性を向上させる観点から、前記所定の期間に関する情報を前記受信手段の出力に基づいて取得する取得手段を備えることが望ましい。
【００１０】
また、上記目的を達成するために本発明に係る腕時計は、時刻を計時する時計手段と、移動体通信装置から送信される信号を受信する受信手段と、前記受信手段の出力に基づいて移動体通信装置に着信があったことを報知する報知手段と、前記受信手段の出力に基づいてアラーム設定時間に関する情報を取得する取得手段と、アラーム設定時間に達すると警告を行うアラーム手段と、前記時刻を表示する表示手段とを備える。
【００１１】
このような構成によると、上記腕時計を身に付けておくことで、携帯電話機が鞄の中に収納されている場合等においても携帯電話の着信を確実に知ることができるとともに、上記腕時計がアラーム設定時間に使用者に対して警告を行うことができる。そして、上記腕時計は、アラーム設定時間を入力するための操作部を具備しなくてよいので、低コスト化を図ることができる。そして、アラーム継続時間を設定入力するときの操作性を向上させる観点から、前記取得手段が、前記受信手段の出力に基づいてアラーム継続時間に関する情報を取得し、前記アラーム手段が、警告を開始してからアラーム継続時間が経過すると警告を終了することが望ましい。
【００１２】
また、上記目的を達成するために本発明に係る移動体通信装置は、時刻を計時する時計手段と、移動体通信装置から送信される信号を受信する受信手段と、前記受信手段の出力に基づいて移動体通信装置に着信があったことを報知する報知手段と、前記受信手段の出力に基づいて現時点の日付に関する情報を取得する取得手段とを備える腕時計と協働する移動体通信装置であって、時刻を計時する時計部と、暦を記憶する記憶部と、前記計時部が計時する時刻と前記記憶部が記憶する暦を用いて現時点の日付を特定する日付特定手段と、着信に関する情報及び前記現時点の日付に関する情報を前記腕時計に送信する送信手段とを備える。
【００１３】
また、上記目的を達成するために本発明に係る移動体通信装置は、時刻を計時する時計手段と、移動体通信装置から送信される信号を受信する受信手段と、前記受信手段の出力に基づいて移動体通信装置に着信があったことを報知する報知手段と、前記受信手段の出力に基づいて前記時計手段の時刻を修正する時計制御手段とを備える腕時計と協働する移動体通信装置であって、前記時計手段よりも精度の高い高精度計時部と、着信に関する情報及び前記高精度計時部が計時する時刻に関する情報を前記腕時計に送信する送信部とを備える。
【００１４】
また、上記目的を達成するために本発明に係る移動体通信装置は、時刻を計時する時計手段と、移動体通信装置から送信される信号を受信する受信手段と、前記受信手段の出力に基づいて移動体通信装置に着信があったことを報知する報知手段と、前記受信手段の出力に基づいてアラーム設定時間に関する情報を取得する取得手段と、アラーム設定時間に達すると警告を行うアラーム手段と備える腕時計と協働する移動体通信装置であって、アラーム設定時間を入力する操作部と、着信に関する情報及び前記アラーム設定時間に関する情報を前記腕時計に送信する送信部とを備える。
【発明の効果】
【００１５】
本発明によると、移動体通信装置と協働することで高機能となる低廉な腕時計および当該腕時計と協働する移動体通信装置を実現することができる。
【発明を実施するための最良の形態】
【００１６】
本発明の一実施形態について図面を参照して以下に説明する。本発明に係る携帯電話機の概略構成例を図１に示す。また、本発明に係る腕時計の概略構成例を図２に示す。
【００１７】
図１に示す携帯電話機は、アンテナ１と、無線部２と、音声処理部３と、スピーカ４と、マイクロフォン５と、携帯電話機全体を制御する制御部６と、アンテナ７と、無線部８と、テンキー、オンフックキー、オフフックキーなどの各種キーから成る操作部９と、記憶部１０と、受信レベルやダイヤル番号等を表示する表示部１１と、警告処理部１２と、ブザー１３と、バイブレータ１４と、高精度時計部１５と、カレンダーデータ記憶部１６と、タイマーＴ１及びＴ２とを備えている。カレンダーデータ記憶部１６は、例えば２００４年から２０３０年までの年、月、日からなるカレンダーデータを記憶している。また、記憶部１０は、携帯電話機の各種設定および現時点の年月日に加え、図２に示す腕時計に送信する通知情報および図２に示す腕時計との通信に関する情報（タイマーＴ１用設定時間ＳＴ１やタイマーＴ２用設定時間ＳＴ２等）を記憶する。制御部６は高精度時計部１５が計時する時刻が２３時５９分から０時に移行する度に、カレンダーデータ記憶部１６に記憶されているカレンダーデータを参照して記憶部１０に記憶されている現時点の年月日を更新する。使用者は、図２に示す腕時計の表示部２６より表示画面が大きい図１に示す携帯電話機の表示部１１の表示を参照して、図２に示す腕時計に設けることができるキーに比べてキーサイズが大きく数も多い複数のキーからなる操作部９を操作する。この使用者の操作に従って、操作部９は、記憶部１０に記憶される各種設定及び情報を入力する。
【００１８】
図２に示す腕時計は、腕時計全体を制御する制御部２１と、アンテナ２２と、無線部２３と、リセットキー２４と、記憶部２５と、表示部２６と、警告処理部２７と、ブザー２８と、バイブレータ２９と、時計部３０と、タイマーＴ３〜Ｔ５とを備えている。
【００１９】
図１に示す携帯電話機は、音声通話時において、ユーザから発せられた音声がマイクロフォン５によって電気信号に変換され、その電気信号が音声処理部３によって処理された後無線部２に送られ、無線部２によって変調され、アンテナ１から無線電波として送信されるとともに、基地局（図示せず）から図１に示す携帯電話機に向けて送信された無線電波がアンテナ１によって受信され、無線部２によって復調され、その復調された信号が音声処理部３によって処理された後スピーカ４によって音声に変換される。
【００２０】
図１に示す携帯電話機の高精度時計部１５は、例えば一ヶ月の時間誤差が１秒以下の精度を持つ計時回路である。一方、図２に示す腕時計の時計部３０は、高精度時計部１５よりも精度の劣る計時回路であって、例えば１日の時間誤差が１秒以下の精度を持つ計時回路である。
【００２１】
図１に示す携帯電話機はアンテナ７及び無線部８を用いて図２に示す腕時計と無線通信を行い、図２に示す腕時計はアンテナ２２及び無線部２３を用いて図１に示す携帯電話機と無線通信を行う。図１に示す携帯電話機の無線部８及び図２に示す腕時計の無線部２３には、例えばブルーツース規格による送信信号の変調及び受信信号の復調を行う無線部を用いるようにするとよい。
【００２２】
図１に示す携帯電話機から図２に示す腕時計に送られる通知情報は、例えば図３に示す構成のデジタル情報である。図３に示すデジタル情報は２４バイトで構成されており、各バイトは８ビットの２進数で、０から２５５までの数値を表現できる。
【００２３】
１バイト目から４バイト目までは現時点の年を意味しており、図３においては２００４年にセットされている。５バイト目は現時点の月を意味しており、図３においては２月にセットされている。６バイト目は現時点の日を意味しており、図３においては２９日にセットされている。７バイト目は現時点の時刻の時間を意味しており、図３においては２１時にセットされている。８バイト目は現時点の時刻の分を意味しており、図３においては１９分にセットされている。９バイト目は現時点の時刻の秒を意味しており、図３においては２５秒にセットされている。
【００２４】
１０バイト目は、現時点の月に属する最終日を意味しており、２８〜３１のいずれかになるが、図３においては２９にセットされている。通知情報の１０バイト目は、例えば現時点が２００４年２月２９日の２３時５９分から次の日の０時に移行するときに、図２に示す腕時計の制御部２１が表示部２６に表示させる日付表示を２００４年２月２９日から自動的に３月１日に変更するために用いられる。すなわち、図２に示す腕時計においては、制御部２１が、記憶部２５に記憶されている現時点の年月日を読み出して表示部２６に日付を表示させるとともに、時計部３０が計時する時刻が２３時５９分から０時に移行する度に、記憶部２５に記憶されている通知情報の１０バイト目を参照して記憶部２５に記憶されている現時点の年月日を更新する。また、図１に示す携帯電話機の制御部６は、現時点の年、月に属する最終日をカレンダーデータ記憶部１６に記憶されているカレンダーデータより読み出して、通知情報の１０バイト目にセットする。
【００２５】
１１バイト目は、０であれば着信無しを意味し、１であれば着信有りを意味しており、図３においては１にセットされている。１２バイト目はタイマーＴ３用設定時間ＳＴ３を意味しており、単位は分であるので最大２５５分にセットすることが可能である。図３においては１０分にセットされている。１３バイト目は、０であればアラーム時間の設定無しを意味し、１であればアラーム時間の設定有りを意味しており、図３においては１にセットされている。１４バイト目から２１バイト目までは、それぞれアラーム時間の年、月、日、時、分を意味しており、図３においては２００４年３月１日６時０分にセットされている。
【００２６】
２２バイト目は、０であれば警告処理モードＡ１を意味し、１であれば警告処理モードＡ２を意味し、２であれば警告処理モードＡ３を意味し、３であれば警告処理モードＡ４を意味しており、図３においては２にセットされている。ここで、警告処理モードＡ１とは、図２に示す腕時計の表示部２６による「アラーム時間です」という表示以外の警告報知を行わない警告処理モードをいう。また、警告処理モードＡ２とは、図２に示す腕時計の表示部２６による「アラーム時間です」という表示と、図２に示す腕時計のブザー２８による所定のＯＮ／ＯＦＦ周期での鳴動の二つの警告報知を行う警告処理モードをいう。また、警告処理モードＡ３とは、図２に示す腕時計の表示部２６による「アラーム時間です」という表示と、図２に示す腕時計のバイブレータ２９による所定のＯＮ／ＯＦＦ周期での振動の二つの警告報知を行う警告処理モードをいう。また、警告処理モードＡ４とは、図２に示す腕時計の表示部２６による「アラーム時間です」という表示と、図２に示す腕時計のブザー２８による所定のＯＮ／ＯＦＦ周期での鳴動と、図２に示す腕時計のバイブレータ２９による所定のＯＮ／ＯＦＦ周期での振動の三つの警告報知を行う警告処理モードをいう。
【００２７】
２３バイト目はタイマーＴ４用設定時間ＳＴ４を意味しており、単位は秒であるので最大２５５秒にセットすることが可能である。図３においては１５秒にセットされている。２４バイト目はタイマーＴ５用設定時間ＳＴ５を意味しており、単位は時間であるので最大２５５時間にセットすることが可能である。図３においては１２時間にセットされている。
【００２８】
次に、図１に示す携帯電話機の図２に示す腕時計との通信に係る動作フローチャートを図４に示す。まず、ステップＳ１０において、操作部９は使用者の操作に応じた出力を制御部６に送出する。制御部６は、タイマーＴ１用設定時間ＳＴ１を操作部９の出力に基づく値（例えば２時間）にセットし、タイマーＴ２用設定時間ＳＴ２を操作部９の出力に基づく値（例えば１分）にセットし、記憶部１０に記憶させる。また、制御部６は、タイマーＴ１及びＴ２をリセットして、タイマーＴ１及びＴ２にタイマー動作を開始させる。
【００２９】
続くステップＳ２０において、制御部６は、記憶部６に記憶している通知情報をデフォルト状態にセットする。ここでは、通知情報の１２バイト目を１０（タイマーＴ３用設定時間ＳＴ３が１０分であることを意味する）にセットし、通知情報の２３バイト目を１５（タイマーＴ４用設定時間ＳＴ４が１５秒であることを意味する）にセットし、通知情報の２４バイト目を１２（タイマーＴ５用設定時間ＳＴ５が１２時間であることを意味する）にセットし、それ以外のバイトは０にセットした状態をデフォルト状態としている。
【００３０】
無線部２は着信の有無を制御部６に通知しており、制御部６は無線部２からの通知に基づいて着信が有るかを判定している（ステップＳ３０）。着信が有れば（ステップＳ３０のＹｅｓ）、制御部６は通知情報の１１バイト目を１にセットし記憶部１０に記憶させ（ステップＳ４０）、後述するステップＳ９０に移行する。一方、着信が無ければ（ステップＳ３０のＮｏ）、制御部６は、操作部９からの出力に基づいて、アラーム時間がセットされたかを判定する（ステップＳ５０）。
【００３１】
アラーム時間がセットされていれば（ステップＳ５０のＹｅｓ）、制御部６は通知情報の１３バイト目を１にセットし記憶部１０に記憶させ（ステップＳ６０）、後述するステップＳ９０に移行する。一方、アラーム時間がセットされていなければ（ステップＳ５０のＮｏ）、制御部６は、無線部８からの出力に基づいて、図２に示す腕時計より送信要求があるかを判定する（ステップＳ７０）。
【００３２】
図２に示す腕時計より送信要求が有れば（ステップＳ７０のＹｅｓ）、後述するステップＳ９０に移行する。一方、図２に示す腕時計より送信要求が無ければ（ステップＳ７０のＮｏ）、制御部６は、タイマーＴ１の計時時間がタイマーＴ１用設定時間ＳＴ１を越えているかを判定する（ステップＳ８０）。タイマーＴ１の計時時間がタイマーＴ１用設定時間ＳＴ１を越えていれば（ステップＳ８０のＹｅｓ）、後述するステップＳ９０に移行する。一方、タイマーＴ１の計時時間がタイマーＴ１用設定時間ＳＴ１を越えていなければ（ステップＳ８０のＮｏ）、ステップＳ２０に戻る。
【００３３】
ステップＳ９０において、制御部６は、タイマーＴ１をリセットして再度タイマーＴ１にタイマー動作を開始させるとともに、記憶部１０に記憶させているパラメータＳＮ１を２にセットする。続くステップＳ１００において、制御部６は、記憶部１０から現時点の年月日、アラーム時間、警告処理モード、タイマーＴ３用設定時間ＳＴ３、タイマーＴ４用設定時間ＳＴ４、及びタイマーＴ５用設定時間ＳＴ５を読み出し、記憶部１０から読み出した現時点の年月日に属する最終日をカレンダーデータ記憶部１６に記憶されているカレンダーデータより読み出し、高精度時計部１５から現時点の時刻を読み出し、読み出した各データを記憶部１０に記憶している通知情報の該当するバイトにセットする。そして、制御部６は、ステップＳ１００で書き換えられた通知情報を記憶部１０から読み出し、その読み出した通知情報を無線部８及びアンテナ７を用いて図２に示す携帯電話機に送信する（ステップＳ１１０）。
【００３４】
続くステップ１２０では、制御部６は、無線部８からの出力に基づいて、図２に示す携帯電話機より受信完了信号ＡＣＫを受信したかを判定する。受信完了信号ＡＣＫを受信していれば（ステップＳ１２０のＹｅｓ）、ステップＳ２０に戻る。一方、受信完了信号ＡＣＫを受信していなければ（ステップＳ１２０のＮｏ）、制御部６は、タイマーＴ２の計時時間がタイマーＴ２用設定時間ＳＴ２を越えているかを判定する（ステップＳ１３０）。
【００３５】
タイマーＴ２の計時時間がタイマーＴ２用設定時間ＳＴ２を越えていなければ（ステップＳ１３０のＮｏ）、ステップＳ１２０に戻る。一方、タイマーＴ２の計時時間がタイマーＴ２用設定時間ＳＴ２を越えていれば（ステップＳ１３０のＹｅｓ）、制御部６は、タイマーＴ２をリセットして再度タイマーＴ２にタイマー動作を開始させるとともに、パラメータＳＮ１から１を引いた値を新たなパラメータＳＮ１として記憶部１０に記憶させる（ステップＳ１４０）。そして、制御６は、記憶部１０が記憶しているパラメータＳＮが０であるかを判定する（ステップＳ１５０）。パラメータＳＮが０であれば（ステップＳ１５０のＹｅｓ）、ステップＳ２０に戻る。一方、パラメータＳＮが０でなければ（ステップＳ１５０のＮｏ）、ステップＳ１００に戻る。
【００３６】
ステップＳ１３０〜Ｓ１５０の動作により、図２に示す携帯電話機に対して通知情報を送信しても図２に示す携帯電話機から受信完了信号ＡＣＫが返信されない場合は、タイマーＴ２用設定時間ＳＴ２おきに計３回通知情報を送信する。
【００３７】
次に、図２に示す腕時計の図１に示す携帯電話機との通信に係る動作フローチャートを図５に示す。なお、図５のフローチャート開始時に、タイマーＴ３用設定時間ＳＴ３、タイマーＴ４用設定時間ＳＴ４、及びタイマーＴ５用設定時間ＳＴ５は工場出荷時のデフォルト値あるいは前回の無線部２３が受信した通知情報に含まれている設定値にセットされ、記憶部２５に記憶されている。ここでは、図５のフローチャート開始時に、タイマーＴ３用設定時間ＳＴ３が５分であり、タイマーＴ４用設定時間ＳＴ４が８秒であり、タイマーＴ５用設定時間ＳＴ５が６時間であるものとする。また、図５のフローチャート開始時に表示部２６の表示は時計表示になっている。ここで、時計表示とは、記憶部２５に記憶されている現時点の年月日及び時計部３０が計時している現時点の時刻の表示をいう。
【００３８】
まず、ステップＳ２１０において、制御部２１は、タイマーＴ３〜Ｔ５をリセットして、タイマーＴ３〜Ｔ５にタイマー動作を開始させる。
【００３９】
続くステップＳ２２０において、制御部２１は、無線部２３からの出力に基づいて、通知情報を受信したかを判定する。通知情報を受信していれば（ステップＳ２２０のＹｅｓ）、後述するステップＳ２６０に移行する。一方、通知情報を受信していなければ（ステップＳ２２０のＮｏ）、制御部２１は、タイマーＴ５の計時時間がタイマーＴ５用設定時間ＳＴ５を越えているかを判定する（ステップＳ２３０）。
【００４０】
タイマーＴ５の計時時間がタイマーＴ５用設定時間ＳＴ５を越えていれば（ステップＳ２３０のＹｅｓ）、制御部２１は、タイマーＴ５をリセットして再度タイマーＴ５にタイマー動作を開始させ（ステップ２４０）、無線部２３及びアンテナ２２を用いて図１に示す携帯電話機に送信要求信号を送信し（ステップＳ２５０）、その後後述するステップＳ３２０に移行する。一方、タイマーＴ５の計時時間がタイマーＴ５用設定時間ＳＴ５を越えていなければ（ステップＳ２３０のＮｏ）、直接ステップＳ３２０に移行する。
【００４１】
ステップＳ２６０において、制御部２１は、無線部２３及びアンテナ２２を用いて図１に示す携帯電話機に受信完了信号ＡＣＫを送信する。続くステップＳ２７０において、制御部２１は、受信した通知情報を記憶部２５に記憶させるとともに、記憶部２５が記憶している現時点の年月日、現時点の年月日に属する最終日、アラーム時間、警告処理モード、タイマーＴ３用設定時間ＳＴ３、タイマーＴ４用設定時間ＳＴ４、及びタイマーＴ５用設定時間ＳＴ５を受信した通知情報の内容に書き換え、時計部３０が計時している時刻を受信した通知情報の内容に基づいて修正する。
【００４２】
続くステップＳ２８０において、制御部２１は、記憶部２５に記憶されている通知情報の１１バイト目、１３バイト目、及び１４〜２１バイト目を読み出して、その読み出したデータに従って、表示部２６の表示を時計表示から「着信がありました。」という着信表示、「何年、何月、何日、何時何分にアラームが設定されました。」というアラーム設定表示、「着信がありました。何年、何月、何日、何時何分にアラームが設定されました。」という着信・アラーム設定表示のいずれかに切り替える。ただし、記憶部２５に記憶されている通知情報の１１バイト目及び１３バイト目がともに０で有る場合は、表示切り替えは行われず、表示部２６の表示は時計表示のままであり、後述するステップＳ２９０〜ステップＳ３１０の動作を省略して直接後述するステップＳ３２０に移行する。
【００４３】
続くステップＳ２９０では、制御部２１は、リセットキー２４の出力に基づいて、リセットキー２４が使用者によって押されたかを判定する。リセットキー２４が押されていれば（ステップＳ２９０のＹｅｓ）、後述するステップＳ３１０に移行する。一方、リセットキー２４が押されていなければ（ステップＳ２９０のＮｏ）、制御部２１は、タイマーＴ３の計時時間がタイマーＴ３用設定時間ＳＴ３を越えているかを判定する（ステップＳ３００）。
【００４４】
タイマーＴ３の計時時間がタイマーＴ３用設定時間ＳＴ３を越えていなければ（ステップＳ３００のＮｏ）、ステップＳ２９０に戻る。一方、タイマーＴ３の計時時間がタイマーＴ３用設定時間ＳＴ３を越えていれば（ステップＳ３００のＹｅｓ）、ステップＳ３１０に移行する。
【００４５】
ステップＳ３１０において、制御部２１は、表示部２６の表示を、「着信がありました。」という着信表示、「何年、何月、何日、何時何分にアラームが設定されました。」というアラーム設定表示、「着信がありました。何年、何月、何日、何時何分にアラームが設定されました。」という着信・アラーム設定表示のいずれかから時計表示に切り替える。続くステップＳ３２０において、制御部２１は、記憶部２５が記憶している通知情報の１３ビット目を読み出して、アラーム時間の設定が有るかを判定する（ステップＳ３２０）。アラーム時間の設定が無ければ（ステップＳ３２０のＮｏ）、ステップＳ２２０に戻る。一方、アラーム時間の設定が有れば（ステップＳ３２０のＹｅｓ）、制御部２１は記憶部２５に記憶しているアラーム時間と記憶部２５が記憶している現時点の年月日及び時計部３０が計時している現時点の時刻とを比較して、アラーム時間になったかを判定する（ステップＳ３３０）。
【００４６】
アラーム時間になっていなければ（ステップＳ３３０のＮｏ）、ステップＳ２２０に戻る。一方、アラーム時間になっていれば（ステップＳ３３０のＹｅｓ）、制御部２１は、記憶部２５に記憶されている通知情報の２２バイト目を読み出して、その読み出したデータに従って、警告処理モードＡ１〜Ａ４のいずれかで警告処理を開始する（ステップＳ３４０）。
【００４７】
続くステップＳ３５０において、制御部２１は、リセットキー２４の出力に基づいて、リセットキー２４が使用者によって押されたかを判定する。リセットキー２４が押されていれば（ステップＳ３５０のＹｅｓ）、後述するステップＳ３７０に移行する。一方、リセットキー２４が押されていなければ（ステップＳ３５０のＮｏ）、制御部２１は、タイマーＴ４の計時時間がタイマーＴ４用設定時間ＳＴ４を越えているかを判定する（ステップＳ３６０）。
【００４８】
タイマーＴ４の計時時間がタイマーＴ４用設定時間ＳＴ４を越えていなければ（ステップＳ３６０のＮｏ）、ステップＳ３５０に戻る。一方、タイマーＴ４の計時時間がタイマーＴ４用設定時間ＳＴ４を越えていれば（ステップＳ３６０のＹｅｓ）、後述するステップＳ３７０に移行する。
【００４９】
ステップＳ３７０において、制御部２１は警告処理を終了し、その後ステップＳ２２０に移行する。なお、警告処理の終了に伴い表示部２６の表示は時計表示に戻る。
【００５０】
上述した図１に示す携帯電話機と図２に示す腕時計を協働させることによって、使用者は、図２に示す腕時計が行う警告に関する設定（アラーム時間の設定、警告処理モードの設定）という複雑な設定操作を図１に示す携帯電話機の操作部９を用いて行うことができるので、操作性が大きく向上する。
【００５１】
図１に示す携帯電話は、ステップＳ８０の動作を行うので、定期的（例えば２時間に１回）に通知情報を図２に示す携帯電話に送信する。これにより、図２に示す腕時計の時計部３０の時刻が定期的に修正され、時計部３０が計時する時刻の誤差を小さくすることができる。また、図１に示す携帯電話は、ステップＳ３０及びステップＳ５０の動作を行うので、着信があったとき及びアラーム時間がセットされたときにも通知情報を図２に示す携帯電話に送信され、このときにも図２に示す腕時計の時計部３０の時刻が修正される。
【００５２】
さらに、何らかの理由例えば図１に示す携帯電話機を机の中に置き忘れていて、図２に示す腕時計との距離が離れていて、図１に示す携帯電話機から送信される通知情報を図２に示す腕時計が長時間（例えば１２時間）受信していない場合は、図２に示す腕時計が図１に示す携帯電話機に送信要求を行うので、図２に示す腕時計と図１に示す携帯電話機の通信が確立された時点で直ちに図１に示す携帯電話機から図２に示す腕時計に通知情報が送られる。これにより、時計部３０が計時する時刻の誤差の拡大を少なくすることができる。
【００５３】
また、通知情報には現時点の年月日に関する情報やアラームに関する情報が含まれているので、図１に示す携帯電話機と図２に示す腕時計を協働させることによって、図２に示す腕時計に日付表示機能やアラーム機能を付加することができる。図２に示す腕時計は、カレンダーデータを記憶するための記憶部やアラームの設定を入力するための操作部を具備しなくてよいので、低コスト化を図ることができる。
【００５４】
なお、本実施形態では、アラーム設定時間は一つであったが、アラーム設定時間を複数設けても構わない。この場合、アラーム設定時間を一つ増やす毎に通知情報のバイトを８バイト増やして、増やしたアラーム設定時間を意味するバイトにするとよい。さらに、複数のアラーム設定時間毎に警告処理モードやアラーム継続時間を変える場合は、複数のアラーム設定時間毎に警告処理モードやアラーム継続時間を意味するバイトを通知情報に追加するとよい。また、本実施形態では、腕時計と協働する移動体通信装置として携帯電話機を例に挙げて説明したが、他の移動体通信装置例えば電子メール送受信機能を有するＰＤＡ等を用いてもよい。
【図面の簡単な説明】
【００５５】
【図１】は、本発明に係る携帯電話機の概略構成例を示す図である。
【図２】は、本発明に係る腕時計の概略構成例を示す図である。
【図３】は、図１に示す携帯電話機から図２に示す腕時計に送られる通知情報を示す図である。
【図４】は、図１に示す携帯電話機の図２に示す腕時計との通信に係る動作フローチャートである。
【図５】は、図２に示す腕時計の図１に示す携帯電話機との通信に係る動作フローチャートである。
【符号の説明】
【００５６】
６    制御部
７    アンテナ
８    無線部
１５    高精度時計部
１６    カレンダーデータ記憶部
Ｔ１、Ｔ２    タイマー
２１    制御部
２２    アンテナ
２３    無線部
２７    警告処理部
３０    時計部
Ｔ３〜Ｔ５    タイマー
【図１】
2005351797.tif 000003
【図２】
2005351797.tif 000004
【図３】
2005351797.tif 000005
【図４】
2005351797.tif 000006
【図５】
2005351797.tif 000007